(57)【要約】【課題】近距離無線通信を行うために接続先の通信機器を登録する際、登録する側の誤操作を防止するとともに、登録される側で動作中の作業を妨げてしまうことが防止された通信機器を提供する。【解決手段】通信可能領域Ａにある他の通信機器１Ａに対して無線通信する通信手段と、通信機器の状態を取得する取得手段と、取得された状態に基づいて、通信接続の可否を設定する設定手段と、他の通信機器１Ａから接続要求があった際、設定された通信接続の可否に基づいて、通信接続が許可されている場合、接続要求に応答する通信制御手段と、を備えた。【選択図】  図５
2010258793.tif 000002
【特許請求の範囲】
【請求項１】
通信可能領域にある他の通信機器に対して無線通信する通信手段と、
通信機器の状態を取得する取得手段と、
前記取得手段により取得された状態に基づいて、前記通信手段による通信接続の可否を設定する設定手段と、
前記他の通信機器から接続要求があった際、前記設定手段により設定された通信接続の可否に基づいて、通信接続が許可されている場合、前記接続要求に応答する通信制御手段と、
を備えたことを特徴とする通信機器。
【請求項２】
前記通信機器は、形状が少なくとも第１の状態または第２の状態に遷移可能であり、
前記取得手段は、前記通信機器の形状の状態を取得し、
前記設定手段は、前記取得手段により第１の状態が取得された場合、通信接続を許可し、第２の状態が取得された場合、通信接続を許可しないことを特徴とする請求項１記載の通信機器。
【請求項３】
前記取得手段は、前記通信機器における所定のアプリケーションプログラムの起動状態を取得し、
前記設定手段は、前記取得手段により取得された所定のアプリケーションプログラムの起動状態に基づいて、前記通信手段による通信接続の可否を設定することを特徴とする請求項１記載の通信機器。
【請求項４】
前記取得手段は、前記通信機器におけるメール機能の起動状態を取得し、
前記設定手段は、前記取得手段によりメール機能が起動されていない状態が取得された場合、通信接続を許可し、前記取得手段によりメール機能が起動された状態が取得された場合、通信接続を許可しないことを特徴とする請求項３記載の通信機器。
【請求項５】
前記取得手段は、前記通信機器におけるインターネット機能の起動状態を取得し、
前記設定手段は、前記取得手段によりインターネット機能が起動されていない状態が取得された場合、通信接続を許可し、前記取得手段によりインターネット機能が起動された状態が取得された場合、通信接続を許可しないことを特徴とする請求項３記載の通信機器。
【請求項６】
前記取得手段は、前記通信機器におけるユーザによるキー入力状態を取得し、
前記設定手段は、前記取得手段によりキー入力中でない状態が取得された場合、通信接続を許可し、前記取得手段によりキー入力中である状態が取得された場合、通信接続を許可しないことを特徴とする請求項１記載の通信機器。
【請求項７】
前記通信機器は、少なくともキーパッドが開放された状態またはキーパッドが閉塞された状態に遷移可能であり、
前記取得手段は、前記通信機器のキーパッドの状態を取得し、
前記設定手段は、前記取得手段によりキーパッドが開放された状態が取得された場合、通信接続を許可し、前記取得手段によりキーパッドが閉塞された状態が取得された場合、通信接続を許可しないことを特徴とする請求項１記載の通信機器。
【発明の詳細な説明】
【技術分野】
【０００１】
本発明は、近距離無線通信機能を備え、機器の状態に応じて、他の通信機器からの近距離無線通信の要求に対して応答するかどうかを判断できる通信機器に関する。
【背景技術】
【０００２】
近年、携帯電話機等の通信機器が一般に普及するのに伴い、これらの通信機器において、基地局を介した通信に加えて、他の通信機器と直接通信するために、Ｂｌｕｅｔｏｏｔｈ（登録商標）等の近距離無線通信機能を備えているものが増えてきている。また、無線通信を行うことにより音声データや文字データを入出力するヘッドフォンやキーボードなどのデバイスも増えてきている。そして現在、携帯電話機等の通信機器と、これらの通信機能を備えたデバイスとが、相互に通信できるシステムが構築されている。
【０００３】
例えば、複数の通信手段を備え、移動通信網との接続を適切に維持又は切断することのできる携帯無線通信装置が提案されている（特許文献１参照）。この携帯無線通信装置は、移動通信網の基地局と無線通信を行う第１の通信手段と、音声チャネル及びデータチャネルを利用してハンズフリー装置と無線通信を行う第２の通信手段を備えた携帯無線通信装置において、自装置のマイク及びスピーカを用いて通話を行う第１のモードと、第１の通信手段を介して基地局から受信した音声を第２の通信手段を介して前記ハンズフリー装置に送信するとともに、第２の通信手段を介して前記ハンズフリー装置から受信した音声を第１の通信手段を介して基地局に送信することでハンズフリー装置を用いた通話を可能とする第２のモードを切り換えるモード切換手段と、を具備したものである。
【先行技術文献】
【特許文献】
【０００４】
【特許文献１】特許第３８１６４７５号公報
【発明の概要】
【発明が解決しようとする課題】
【０００５】
携帯電話機等の通信機器において近距離無線通信（例えばＢｌｕｅｔｏｏｔｈ）を行う際、始めにデバイス接続を行うために、通信可能領域にある通信機器を検索するための応答要求を送信し、応答のあった通信機器を登録して、登録された通信機器から接続先が選択される。この一連のユーザ操作において、機器検索により取得された通信機器の名称のみでは、ユーザが接続先としたい通信機器を判別することが難しく、また一意に特定できるアドレスが表示されるが、これにより登録された通信機器のユーザを判別するのも困難であった。応答側が他の作業中である等により接続を望まない可能性もあり、また、誤って本来の接続先でない通信機器が接続されてしまう恐れもあるという問題があった。
【０００６】
本発明は、上記課題を鑑みてなされてものであり、近距離無線通信を行うために接続先の通信機器を登録する際、接続要求側（登録する側）の誤操作を防止するとともに、応答側（登録される側）で動作中の作業を妨げてしまうことが防止された通信機器を提供することを目的とする。
【課題を解決するための手段】
【０００７】
上記課題を解決するために、本発明に係る通信機器は、通信可能領域にある他の通信機器に対して無線通信する通信手段と、通信機器の状態を取得する取得手段と、前記取得手段により取得された状態に基づいて、前記通信手段による通信接続の可否を設定する設定手段と、前記他の通信機器から接続要求があった際、前記設定手段により設定された通信接続の可否に基づいて、通信接続が許可されている場合、前記接続要求に応答する通信制御手段と、を備えたことを特徴とする。
【発明の効果】
【０００８】
本発明に係る通信機器によると、近距離無線通信を行うために接続先の通信機器を登録する際、接続要求側（登録する側）の誤操作を防止するとともに、応答側（登録される側）で動作中の作業を妨げてしまうことを防止することが可能となる。
【図面の簡単な説明】
【０００９】
【図１】本発明に係る通信機器（携帯電話機）が適用される通信システムを示すシステム構成図。
【図２】（Ａ）は、本発明に係る通信機器（携帯電話機）の開いた状態を示す正面図、（Ｂ）は、本発明に係る通信機器（携帯電話機）の開いた状態を示す側面図。
【図３】（Ａ）は、本発明に係る通信機器（携帯電話機）の閉じた状態を示す正面図、（Ｂ）は、本発明に係る通信機器（携帯電話機）の閉じた状態を示す側面図。
【図４】本発明に係る通信機器（携帯電話機）の機能ブロック図。
【図５】本発明に係る通信機器（携帯電話機）において近距離無線通信制御処理を説明するための概略図。
【図６】本発明に係る通信機器（携帯電話機）において、待ち受け設定処理を行う際の手順を示すフローチャート。
【図７】本発明に係る通信機器（携帯電話機）において、接続要求側が近距離通信制御処理を行う際の手順を示すフローチャート。
【図８】本発明に係る通信機器（携帯電話機）において、応答側が近距離通信制御処理を行う際の手順を示すフローチャート。
【発明を実施するための形態】
【００１０】
本発明に係る通信機器の実施形態について、添付図面を参照しながら説明する。本発明に係る通信機器として、複数の筐体が相互に回転自在に結合されてなる開閉自在のクラムシェル型の携帯電話機１を例にあげて説明する。なお、携帯電話機１の形状は、複数の筐体が回転自在に結合された形状に限定されず、複数の筐体がスライド自在に結合されて開閉自在に形成されたものであっても良く、その他の開閉機構を備えたものであっても良く、または、単一の筐体により形成された開閉機構を有さないものであっても良い。
【００１１】
図１は、携帯電話機１が適用される通信システム１００を示すシステム構成図である。図１に示すように、通信システム１００は、通信端末として例えば携帯電話機１、１Ａなどを備えている。また、通信システム１００には基地局２が複数備えられていて、携帯電話機１、１Ａは、これらの基地局２のうち最も近隣にある基地局２に対して無線接続することにより、相互に通信することができる。
【００１２】
また、携帯電話機１、１Ａは、近距離（所定距離内）にある通信機器に対して相互に接続して通信する近距離通信機能（例えばＢｌｕｅｔｏｏｔｈ（登録商標）など）を備えている。図１に示すように、例えば、エリアＡは、携帯電話機１が近距離無線機能により通信可能な領域であり、エリアＢは、携帯電話機１Ａが近距離無線機能により通信可能な領域である。携帯電話機１は、エリアＡの内部にある携帯電話機１Ａに対して、また携帯電話機１Ａは、エリアＢの内部にある携帯電話機１に対して、それぞれ近距離無線通信を行うことができる。
【００１３】
図２（Ａ）は、携帯電話機１、１Ａの開いた状態を示す正面図であり、図２（Ｂ）は、携帯電話機１、１Ａの開いた状態を示す側面図である。携帯電話機１、１Ａは、図２（Ａ）及び図２（Ｂ）に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図２及び図３のＸ方向に所定角度だけ回転自在なように形成されている。携帯電話機１、１Ａは、上筐体１０を下筐体１１に対して回転させることにより、閉じた状態から開いた状態に、あるいは開いた状態から閉じた状態に変形する。
【００１４】
上筐体１０の内面（下筐体１１に対面する側の面）には、文字や画像等の情報を含んだ表示画面を表示するための液晶ディスプレイ１３、音声を出力するためのスピーカ１４が設けられている。これらの液晶ディスプレイ１３やスピーカ１４は、携帯電話機１が閉じた状態のときには、下筐体１１により覆われていて外部に露出していないが、上筐体１０を下筐体１１に対して回転させて開いた状態に変形させたときには、外部に露出される。
【００１５】
下筐体１１の内面（上筐体１０に対面する側の面）には、ユーザが指示を入力するための操作キー（キーパッド）１５が備えられている。操作キー１５は、例えば、カーソルや表示画面を上下左右に移動させるための十字キーや、項目を選択するための選択キーや、数字を入力するための数字キー、発信処理を行うための発信キーなどである。また下筐体１１には、音声を集音するためのマイクロフォン１６が設けられている。これらの操作キー１５やマイクロフォン１６は、携帯電話機１、１Ａが閉じた状態のときには、上筐体１０により覆われていて外部に露出していないが、上筐体１０を下筐体１１に対して回転させて開いた状態に変形させたときには、外部に露出される。
【００１６】
図３は、携帯電話機１、１Ａの機能を示すブロック図である。携帯電話機１、１Ａは、図３に示すように、主制御部２０、電源回路部２１、操作入力制御部２２、表示制御部２３、音声制御部２４、通信制御部２５、記憶部２６、近距離無線通信制御部２７、及び状態監視部２８がバスによって相互に通信可能に接続されて構成されている。
【００１７】
主制御部２０は、ＣＰＵ（Ｃｅｎｔｒａｌ  Ｐｒｏｃｅｓｓｉｎｇ  Ｕｎｉｔ）を具備し、携帯電話機１、１Ａの総括的な制御を行うとともに、後述する通信制御処理、その他の様々な演算処理や制御処理等を行う。電源回路部２１はバッテリ等の電源供給源を具備し、ユーザによる操作キー１５を介した入力に基づいて電源のオン／オフ状態を切り替え、電源がオン状態の場合に電力供給源から各部に対して電力を供給して、携帯電話機１、１Ａを動作可能にする。
【００１８】
操作入力制御部２２は、操作キー１５に対する入力インタフェースを備え、操作キー１５の押下を検出すると、その押下されたキーを示す信号を生成して、この信号を主制御部２０に伝送する。信号を受信した主制御部２０は、この信号に基づいた処理を行う。表示制御部２３は、ディスプレイ１３に対する表示インタフェースを備え、主制御部２０の制御に基づいて、文書や画像などを含んだ画面をディスプレイ１３表示する。
【００１９】
音声制御部２４は、主制御部２０の制御に基づいて、マイクロフォン１６で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１４から音声として出力する。
【００２０】
通信制御部２５は、アンテナ２５ａを備えていて、主制御部２０の制御に基づいて、基地局（図示せず）からアンテナ２５ａを介して受信した受信信号をスペクトラム逆拡散処理してデータを復元する。このデータは、主制御部２０の指示により、音声制御部２４に伝送されてスピーカ１４から出力されたり、表示制御部２３に伝送されてディスプレイ１３に表示されたり、または記憶部２６に記録されたりする。また通信制御部２５は、主制御部２０の制御に基づいて、マイクロフォン１６で集音された音声データや操作キー１５等を介して入力されたデータや記憶部２６に記憶されたデータを取得すると、これらのデータに対してスペクトラム拡散処理を行い、基地局に対してアンテナ２５ａを介して送信する。
【００２１】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述する通信制御処理を行う際の処理プログラムは、例えばＲＯＭに記憶されているものとする。
【００２２】
近距離無線通信制御部２７は、アンテナ２７ａを備えていて、このアンテナ２７ａを介して、他の通信機器に対して無線通信を行う。すなわち、近距離無線通信制御部２７は、主制御部２０の制御に基づいて、アンテナ２７ａを介して他の通信機器から受信した受信信号をスペクトラム逆拡散処理してデータを復元する。また、近距離無線通信制御部２７は、主制御部２０の制御に基づいて、例えば記憶部２６に記憶されたデータ等に対してスペクトラム拡散処理を行い、他の通信機器に対してアンテナ２７ａを介して送信する。近距離無線通信制御部２７により使用される通信規格は、例えば通信可能な距離が１０ｍ程度のＢｌｕｅｔｏｏｔｈ（登録商標）等である。
【００２３】
また、近距離無線通信部２７は、主制御部２０の制御に基づいて、他の通信機器からの機器検索応答の待ち受けのＯＮ／ＯＦＦ状態を設定する。機器検索応答待ち受けがＯＮ状態の場合は、近距離無線通信部２７は、他の通信機器からアンテナ２７ａを介して機器検索の信号を受信した際に、その信号に対する応答として、自身の識別情報を送信する。また、機器検索応答待ち受けがＯＦＦ状態の場合は、近距離無線通信部２７は、他の通信機器からアンテナ２７ａを介して機器検索の信号を受信しても、その信号に対して応答しない。
【００２４】
状態監視部２８は、上筐体１０及び下筐体１１のそれぞれ所定位置に複数のホールＩＣやマグネットを備え、ホールＩＣによりマグネットの磁気を検出することにより、携帯電話機１が閉じた状態にあるか開いた状態にあるかを検出する。ホールＩＣは、磁気センサであるホール素子とその出力信号をデジタル信号に変換するＩＣが１パッケージ化された素子であり、電源端子、ＧＮＤ端子、Ｓ極検出用の出力端子、Ｎ極検出用の出力端子の４端子で構成されている。
【００２５】
そして状態監視部２８は、携帯電話機１が閉じた状態から開いた状態へ変形された場合に、開放検出信号を生成して主制御部２０に対して送信し、携帯電話機１の開いた状態から閉じた状態への変形が開始された場合に、閉塞検出信号を生成して主制御部２０に対して送信する。
【００２６】
携帯電話機１、１Ａが近距離無線通信を行うときに通信相手となる通信機器は、例えば、デジタルカメラ、ＰＤＡ（Ｐｅｒｓｏｎａｌ  Ｄｉｇｉｔａｌ  Ａｓｓｉｓｔａｎｔｓ）、デジタルテレビ、プリンタ、ＰＣ（Ｐｅｒｓｏｎａｌ  Ｃｏｍｐｕｔｅｒ）、携帯電話機等であり、これらは皆、近距離無線通信制御部２７により通信制御される通信規格（例えばＢｌｕｅｔｏｏｔｈ等）に基づいて無線通信を行う機能を備えている。
【００２７】
図５に示すように、携帯電話機１、１Ａの近距離無線通信制御部２７は、近距離無線通信を行う際に、自身の識別情報を、所定エリア内（例えば携帯電話機１の場合、携帯電話機１から直線距離１０ｍ以内の範囲の通信可能エリアＡ）にある全ての通信機器に対して送信する。そして他の通信機器は、各々の通信可能エリア（例えば携帯電話機１Ａの場合、携帯電話機１Ａから直線距離１０ｍ以内の範囲の通信可能エリアＢ）の内部において他の通信機器の識別情報を受信すると、この情報の送信元の通信機器に対して自身の識別情報を返信する。このように携帯電話機１、１Ａ及び他の通信機器は、近距離無線通信を行う際に、通信可能エリア内に存在する全ての通信機器に対して自身の識別情報を送信するとともに、通信可能エリア内に存在する通信機器から返信された識別情報を受信して、これらの識別情報に基づいて通信相手を特定して、無線通信を開始する。
【００２８】
また、携帯電話機１、１Ａが他の通信機器と無線通信を開始する際には、要求側が通信相手にＰＩＮ（Ｐｅｒｓｏｎａｌ  ｉｄｅｎｔｉｆｉｃａｔｉｏｎ  ｎｕｍｂｅｒ）コードを送信して、通信相手がこのＰＩＮコードを用いて認証を行い、認証に成功した場合に、携帯電話機１、１Ａとこの通信相手との接続を確立する。
【００２９】
ここで、携帯電話機１、１Ａの操作状態によっては、通信機器から要求があっても近距離無線通信を行うことが好ましくない場合が考えられる。例えば、ユーザが携帯電話機１、１Ａを用いて電話やＴＶ視聴などの他の操作を行っている場合や、ユーザが携帯電話機１、１Ａを閉じた状態で持ち歩いていて、携帯電話機１、１Ａを操作する意思がない場合などである。
【００３０】
よって、図５に示すように、例えば携帯電話機１が、通信可能なエリアＡにある携帯電話機１Ａに対して近距離無線通信を行う際に、携帯電話機１Ａのユーザが携帯電話機１Ａを開いた状態で保持している場合や、携帯電話機１Ａにおいて重要な操作が行われていない場合などには、携帯電話機１から近距離無線通信の要求があった場合に、携帯電話機１と携帯電話機１Ａとが接続されるが、携帯電話機１Ａのユーザが携帯電話機１Ａを閉じた状態にしている場合や、携帯電話機１Ａで他の操作が行われている場合などには、携帯電話機１から近距離無線通信の要求があった場合であっても、携帯電話機１Ａから接続を拒否できることが望ましい。
【００３１】
一定距離内にある複数の通信機器が相互に近距離無線通信を接続してデータ送受信を行う際、通信を行う通信機器同士（例えば携帯電話機１と携帯電話機１Ａ等）を、相互に通信相手として認識・記憶させる処理を行う。これは、Ｂｌｕｅｔｏｏｔｈ無線通信においてはペアリング設定として定義される通信プロセスである。従来、通信機器に設けられたペアリング設定操作は、相互の通信機器がＢｌｕｅｔｏｏｔｈ無線機をＯＮした条件で、一方の通信機器で、物理的接続が検出された通信機器リストの中から通信相手を選択するという手順を踏む。
【００３２】
そこで、例えば携帯電話機１が、通信可能なエリアＡにある携帯電話機１Ａに対して近距離無線通信を行う際に、携帯電話機１Ａのユーザが携帯電話機１Ａを閉じた状態にしておいた場合など、携帯電話機１Ａのユーザが近距離無線通信を望まない場合には、相互に通信相手として認識・記憶させる処理を行う際に、その通信機器（携帯電話機１Ａ）を登録させないようにできることが望ましい。
【００３３】
携帯電話機１、１Ａは、接続対象の通信機器の登録時に行う機器検索において、ユーザにより接続が望まれているか否かを判断して、その結果に基づいて、応答するか否かを判断する機能を備えている。すなわち、携帯電話機１、１Ａにおいて、近距離無線通信の接続待機状態であっても、そのときの状態に応じて、接続待機状態を設定／解除することで、通信機器からの誤接続を防止することができる。なお、この機能は機器検索に応答しないのみで、機器登録済み機器からの接続要求に影響するものではない。
【００３４】
携帯電話機１、１Ａが機器検索要求に応答するか否かを判断する条件の一例を、以下の（Ａ）乃至（Ｃ）に挙げる。なお、ＯＮの場合は機器検索に応答し、ＯＦＦの場合は機器検索に応答しない。  
（Ａ）機器の操作状態に基づいて判断する
・機器の開閉状態
（開いた状態のときにＯＮ、閉じた状態のときにＯＦＦ）
・キー入力状態
（入力状態のときにＯＮ、非入力状態のときにＯＦＦ）
・キーパッドが隠れる状態
（キーパッドが開放／閉塞状態に変化する機器において、キーパッドが隠れていない状態のときにＯＮ、隠れた状態のときにＯＦＦ）
（Ｂ）ユーザの近距離無線通信機能を使用する意思に基づいて判断する
・メール機能の使用状態
（使用状態のときにＯＮ、不使用状態のときにＯＦＦ）
・インターネット機能の使用状態
（使用状態のときにＯＮ、不使用状態のときにＯＦＦ）
（Ｃ）近距離無線通信機能の機器検索の応答状態に基づいて判別する
・機器検索待ち受け状態
（待ち受け状態のときにＯＮ、それ以外はＯＦＦ）
【００３５】
なお、通常は機器検索待ち受けがＯＮに設定されていて、所定の条件を満たす場合にのみ、機器検索待ち受けがＯＦＦに設定されるようにしても良く、これとは逆に、通常は機器検索待ち受けがＯＦＦに設定されていて、所定の条件を満たす場合にのみ、機器検索待ち受けがＯＮに設定されるようにしても良い。また、複数の条件を組み合わせて、すべての条件を満たす場合がＯＮに、それ以外がＯＦＦに設定されるようにしても良い。
【００３６】
始めに携帯電話機１は、操作状態が変化するごとに、上述した（Ａ）乃至（Ｃ）などの条件に基づいて、近距離無線通信に対する機器検索応答を待ち受けるか否かを設定する待ち受け設定処理を行う。携帯電話機１がこの待ち受け設定処理を行う際の手順を、図６に示すフローチャートに基づいて説明する。なお、携帯電話機１、１Ａの操作状態、特に開閉状態に応じて機器検索待ち受けのＯＮ／ＯＦＦ状態を切り替える例（上述した（Ａ）の条件）について説明する。以下、例えば「ステップＳ１０１」を「Ｓ１０１」のように、「ステップ」の語句を省略して説明する。
【００３７】
まず主制御部２０は、携帯電話機１の状態が変化したか否かを判断する（Ｓ１０１）。この際、主制御部２０は、上筐体１０と下筐体１１との位置関係が変化して、状態監視部２８から信号を受信すること基づいて、状態が変化したものと判断する。状態が変化していない場合（Ｓ１０１のＮｏ）は、主制御部２０はそのまま待機する。
【００３８】
状態が変化した場合（Ｓ１０１のＹｅｓ）は、主制御部２０は、携帯電話機１が閉じた状態から開いた状態に変化した（シェルオープン）か否かを判断する（Ｓ１０３）。この際、主制御部２０は、状態監視部２８から受信した信号が開放検出信号であった場合に、携帯電話機が開いた状態に変化したものと判断する。
【００３９】
携帯電話機１が閉じた状態から開いた状態に変化した（シェルオープン）場合（Ｓ１０３のＹｅｓ）は、主制御部２０は、機器検索応答待ち受けをＯＮに設定する（Ｓ１０５）。携帯電話機１が開いた状態から閉じた状態に変化した（シェルクローズ）場合（Ｓ１０３のＮｏ）は、主制御部２０は、機器検索応答待ち受けをＯＦＦに設定する（Ｓ１０７）。
【００４０】
このように、携帯電話機１は、状態が変化した際に、近距離無線通信機能の機器検索応答待ち受けのＯＮ／ＯＦＦ状態を切り替える。これにより携帯電話機１は、開いた状態のときには他の通信機器からの機器検索に対して応答し、閉じた状態のときには他の通信機器からの機器検索に対して応答しない。
【００４１】
なお、機器検索要求に応答するか否かを判断する条件をキー入力状態とした場合は、ステップＳ１０１にて、キーの入力が開始されたり終了されたりしたか否かを判断し、ステップＳ１０３にて、キー入力が開始されたか否かを判断する。そして、キー入力が開始された場合はステップＳ１０５にて機器検索応答待ち受けがＯＮに、キー入力が終了された場合はステップＳ１０７にて機器検索応答待ち受けがＯＦＦに設定される。
【００４２】
また、機器検索要求に応答するか否かを判断する条件をメール機能やインターネット機能の使用（起動）状態とした場合は、ステップＳ１０１にて、メール機能やインターネット機能が起動されたり終了されたりしたか否かを判断し、ステップＳ１０３にて、メール機能やインターネット機能が起動されたか否かを判断する。そして、メール機能やインターネット機能が起動された場合はステップＳ１０５にて機器検索応答待ち受けがＯＮに、メール機能やインターネット機能が終了された場合はステップＳ１０７にて機器検索応答待ち受けがＯＦＦに設定される。
【００４３】
次に、携帯電話機１、１Ａは、通信可能なエリアＡ内にある通信機器に対して近距離無線通信を行う際に、近距離無線通信制御部２７にて設定された機器検索応答待ち受けのＯＮ／ＯＦＦ状態（ステップＳ１０１乃至Ｓ１０７にて登録された情報）に基づいてこの近距離無線通信を制御する通信制御処理を行う。携帯電話機１がこの通信制御処理を行う際の手順を、図７、図８に示すフローチャートに基づいて説明する。なお、ここでは携帯電話機１Ａが送信側、携帯電話機１が受信側として説明するが、これに限定されず、送信側と受信側が逆であっても良く、または、いずれかが他の通信機器であっても良い。
【００４４】
始めに、送信側（例えば携帯電話機１Ａ）の処理について、図７に示すフローチャートに基づいて説明する。ユーザは、携帯電話機１Ａを用いて近距離無線通信を行いたい場合に、所定の操作キー１５を押下することにより、携帯電話機１Ａから所定距離内にある通信機器に対する機器検索要求の送信を指示する。ユーザから機器検索要求を指示された主制御部２０は、携帯電話機１から所定距離内にある領域（例えばエリアＢ）に対して機器検索要求を示す信号を送信する（Ｓ２０１）。
【００４５】
エリアＢ内にある通信機器は、この機器検索要求を受信すると、要求に対する応答として、自身を示す識別情報を送信する。よって主制御部２０は、機器検索要求を送信した後、通信機器から応答を受信したか否かを判断する（Ｓ２０３）。この際、ステップＳ２０１にて機器検索要求を送信してから所定時間以内に、近距離無線通信制御部２７にて応答を受信した場合に、応答を受信したものと判断する。
【００４６】
応答を受信した場合（Ｓ２０３のＹｅｓ）は、主制御部２０は、受信した通信機器の識別情報に基づいて、応答してきた通信機器に対して、自身（例えば携帯電話機１Ａ）のアドレスを示す信号を送信する（Ｓ２０５）。応答してきた通信機器は、ステップＳ２０５にて送信されたアドレスを受信すると、接続要求してきた通信機器に対して接続する場合には、このアドレスに基づいて接続許可を示す信号を送信する。
【００４７】
よって主制御部２０は、ステップＳ２０５にてアドレスを送信した通信機器から、接続が許可されたか否かを判断する（Ｓ２０７）。この際、主制御部２０は、接続許可を示す信号を受信したことに基づいて、接続が許可されたものと判断する。接続が許可された場合（Ｓ２０７のＹｅｓ）は、この通信機器に対する近距離無線通信の接続を開始する（Ｓ２０９）。
【００４８】
また、いずれの通信機器からも応答を受信しなかった場合（Ｓ２０３のＮｏ）や、いずれの通信機器からも接続が許可されなかった場合（Ｓ２０７のＮｏ）は、主制御部２０は、近距離無線通信を行わずに通信制御処理を終了する。
【００４９】
このようにして携帯電話機１、１Ａは、近距離無線通信の送信側であるときに、所定距離内の領域（例えばエリアＡ、Ｂ）にある他の通信機器に対して機器検索要求を送信し、この要求に応じて接続許可を送信してきた通信機器に対して、近距離無線通信を開始する。
【００５０】
次に、受信側（例えば携帯電話機１）の処理について、図８に示すフローチャートに基づいて説明する。まず主制御部２０は、近距離無線通信制御部２７により、機器検索応答待ち受けがＯＮに設定されているか否かを判断する（Ｓ３０１）。機器検索応答待ち受けがＯＮに設定されていない場合（Ｓ３０１のＮｏ）は、主制御部２０は、機器検索応答待ち受けがＯＮに設定されるまで待機する。
【００５１】
機器検索応答待ち受けがＯＮに設定されていた場合（Ｓ３０１のＹｅｓ）は、主制御部２０は、機器検索要求を受信したか否かを判断する（Ｓ３０３）。この際、主制御部２０は、他の通信機器（例えば携帯電話機１Ａ）がステップＳ２０１にて送信した機器検索要求を示す情報を受信したことに基づいて、機器検索要求を受信したものと判断する。機器検索要求を受信していない場合（Ｓ３０３のＮｏ）は、ステップＳ３０１に戻って、主制御部２０は再び機器検索応答待ち受けがＯＮに設定されているか否かを判断する。
【００５２】
機器検索要求を受信した場合（Ｓ３０３のＹｅｓ）は、主制御部２０は、この要求に対する応答として、自身の識別情報を送信する（Ｓ３０５）。要求元の通信機器（例えば携帯電話機１Ａ）は、要求に対する応答を受信した場合、自身のアドレスを示す信号を送信してくる。
【００５３】
よって主制御部２０は、ステップＳ３０５にて応答を送信してから所定時間以内に、要求元の通信機器からアドレスを受信したか否かを判断する（Ｓ３０７）。この際、主制御部２０は、ステップＳ２０５にて送信されたアドレスを受信したことに基づいて、アドレスを受信したものと判断する。アドレスを受信していない場合（Ｓ３０７のＮｏ）は、主制御部２０はアドレスを受信するまで待機する。
【００５４】
アドレスを受信した場合（Ｓ３０７のＹｅｓ）は、主制御部２０は、このアドレスに基づいて、要求元の通信機器に対して接続許可を示す信号を送信する（Ｓ３０９）。そして主制御部２０は、要求元の通信機器との接続を開始する（Ｓ３１１）。
【００５５】
このようにして携帯電話機１、１Ａは、機器の操作状態（開閉状態など）、ユーザによる操作状態（通話中、インターネット使用中など）に基づいて、状態が変化したときには、逐次、機器検索待ち受け状態の設定を切り替える。そして携帯電話機１、１Ａは、他の通信機器から近距離無線通信の接続を要求された際、機器検索待ち受け状態がＯＮに設定されているときには、この要求に応答して接続を許可し、機器検索待ち受け状態がＯＦＦに設定されているときには、この要求に応答しないことにより接続を拒否する。
【００５６】
これにより、接続要求側が近距離無線通信の接続先の通信機器を登録する際の誤操作を防止するとともに、応答側が近距離無線通信の接続を要求される際に作業が妨げられることが防止される。近距離無線通信の接続機器登録において、接続応答の際、通常セキュリティの観点よりＰＩＮ交換が主流となっていて、そのための操作が既に動作中の作業に割り込む可能性がある。よって、携帯電話機１、１Ａが、状態に応じて機器検索に応答しないことにより、既に動作中の作業が妨げられる可能性を大幅に減らすことができるとともに、機器検索への応答した場合の電力消費が軽減され、消費電力が抑えられる。
【００５７】
本発明に係る通信機器（携帯電話機１）によると、近距離無線通信を行うために接続先の通信機器を登録する際、登録する側の誤操作を防止するとともに、登録される側で動作中の作業を妨げてしまうことを防止することが可能となる。
【００５８】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ、携帯音楽プレイヤー、携帯ゲーム機、携帯テレビ、ノート型ＰＣ等、無線通信機能を備えている通信機器であれば、任意の通信機器であっても良い。
【符号の説明】
【００５９】
１、１Ａ…携帯電話機，２…基地局，１０…上筐体，１１…下筐体，１２…ヒンジ部，１３…ディスプレイ，１４…スピーカ，１５…操作キー，１６…マイクロフォン，２０…主制御部，２１…電源回路部，２２…操作入力制御部，２３…表示制御部，２４…音声制御部，２５…通信制御部，２５ａ…アンテナ，２６…記憶部，２７…近距離無線通信制御部，２７ａ…近距離通信用アンテナ，２８…状態監視部，Ａ、Ｂ…通信可能エリア。
【図１】
2010258793.tif 000003
【図２】
2010258793.tif 000004
【図３】
2010258793.tif 000005
【図４】
2010258793.tif 000006
【図５】
2010258793.tif 000007
【図６】
2010258793.tif 000008
【図７】
2010258793.tif 000009
【図８】
2010258793.tif 000010